(57)【特許請求の範囲】
【請求項１】
整粒および整粒以下の粒径の混入物を透過する縦筒状の回転選別網体と、この回転選別網体の内面に沿わせて被選別穀類を揚上移動させる回転螺旋体とで構成され、回転螺旋体は被選別穀類を揚上移動させる回転速度で回転させるとともに回転選別網体は回転螺旋体と逆方向にそれより低速で回転させる１次選別部と、１次選別部の回転選別網体から分離放出された整粒および整粒以下の粒径の混入物を揺動風選する２次選別部とで構成され、１次選別部は、回転選別網体の下部に供給された被選別穀類を回転螺旋体により回転選別網体の内面に沿って揚上する過程で整粒および整粒以下の粒径の混入物をともに回転選別網体から分離放出し、回転選別網体内に残る異物を回転螺旋体により揚上して、整粒および整粒以下の粒径の混入物と残留異物との回転選別網体の面を境にした互いに異なる方向の引き離し作用により回転選別網体内の残留物を異物として排除する手段であり、２次選別部は、１次選別部の回転選別網体から分離放出された整粒および整粒以下の粒径の混入物から該混入物を除去する手段であることを特徴とする穀類の異物除去装置。
【発明の詳細な説明】
【０００１】
【発明の属する技術分野】
本発明は、穀類の混入異物を除去する装置に関する。
【０００２】
【従来の技術】
収穫した穀類には、藁屑、草、木片など種々の夾雑物が混入しているので、乾燥や脱ぷなどの調製前に、被調製穀物中に混在している夾雑物を除去するためのものとしては、パディクリーナ（粗選機）があり、被調製穀物中から夾雑物を予め除去して調製上の障害を除くことが従来から行われている。
【０００３】
また、脱ぷ後の玄米から屑粒を選別除去する選別装置としては、縦型穀類選別機や、回転角筒型玄米選別機（ライスグレーダ）があり、これらの穀類選別装置は、屑粒を透過する多孔状の選別網筒により玄米に混在する屑粒を主に排除するものである。
【０００４】
【発明が解決しようとする課題】
従来のパディクリーナや穀類選別機によれば、穀類の混入異物も除去される。しかし、穀類の混入異物としては、ガラス片、プラスチック片、小石、軽石、木片、藁、紐類、糠玉、植物の種子、異種穀類、鳥類の羽、動物の毛、毛髪、鼠や小鳥の糞など種々雑多であり、その大きさはもとより性状も様々であるから、従来のパディクリーナや穀類選別機では、一部の異物を除去できても、比重の大きいガラス片や小石、逆に比重の小さいプラスチック片や木片、殊に粘性の高い糞類や糠玉、穀類に絡まったり付着する動物の毛、羽または毛髪などはほとんど除去できないのが実状である。
【０００５】
また、穀類に糞類や糠玉などの粘性の高い異物が混入していると、これに他の異物が付着して異物の塊を生成するので、異物の除去をいっそう困難にする現象をきたすことになる。
【０００６】
そこで、本発明は、従来除去ができなかった穀類の混入異物を効率よく除去することができる穀類の異物除去装置を提供することを目的とするものである。
【０００７】
【課題を解決するための手段】
上記目的を達成するための本発明に係る穀類の異物除去装置は、整粒および整粒以下の粒径の混入物を透過する縦筒状の回転選別網体と、この回転選別網体の内面に沿わせて被選別穀類を揚上移動させる回転螺旋体とで構成され、回転螺旋体は被選別穀類を揚上移動させる回転速度で回転させるとともに回転選別網体は回転螺旋体と逆方向にそれより低速で回転させる１次選別部と、１次選別部の回転選別網体から分離放出された整粒および整粒以下の粒径の混入物を揺動風選する２次選別部とで構成され、１次選別部は、回転選別網体の下部に供給された被選別穀類を回転螺旋体により回転選別網体の内面に沿って揚上する過程で整粒および整粒以下の粒径の混入物をともに回転選別網体から分離放出し、回転選別網体内に残る異物を回転螺旋体により揚上して、整粒および整粒以下の粒径の混入物と残留異物との回転選別網体の面を境にした互いに異なる方向の引き離し作用により回転選別網体内の残留物を異物として排除する手段であり、２次選別部は、１次選別部の回転選別網体から分離放出された整粒および整粒以下の粒径の混入物から該混入物を除去する手段であることを特徴とする。
【０００８】
【発明の実施の形態】
図面は本発明に係る穀類の異物除去装置の実施の形態を示し、図１は穀類の異物除去装置の全体斜視図、図２は同じく一部破断側面図、図３は同じく模式的断面図である。
【０００９】
図１および図２において、１は１次選別部、２は２次選別部である。１次選別部１は、整粒および整粒以下の粒径の混入物を透過する縦筒状の回転選別網体３と、この回転選別網体３の内面に沿わせて被選別穀類を揚上移動させる回転螺旋体４を備えており、回転螺旋体４は、ギヤモータ５により回転され、回転選別網体３もギヤモータ５により回転螺旋体４と逆方向に、かつそれより低速で回転される。６は被選別穀類の投入ホッパである。７は上部タンク、８はその排出口であり、上部タンク７は内部を容易に透視できる透明度のプラスチックで構成されている。９は整粒送出口であり、整粒送出口９からは回転選別網体３により分離放出される整粒と整粒以下の粒径の混入物がともに送出される。
【００１０】
２次選別部２は、揺動選別盤１０と、揺動選別盤１０上に選別風を送風する風選装置１１を備えている。１２は供給ホッパ、１３は整粒送出口、１４は異物排出口である。この２次選別部２の供給ホッパ１２には、前記１次選別部１の整粒送出口９から回転選別網体３により分離放出される整粒と整粒以下の粒径の混入物がともに供給され、それが供給ホッパ１２から揺動選別盤１０上に供給される構成となっている。
【００１１】
なお、図１および図２に示す実施の形態では、１次選別部１と２次選別部２を一つの機枠台１５により一体構成としているが、１次選別部１と２次選別部２とを並置する構成であってもよい。また１次選別部１を成す選別機は、穀類の屑粒除去選別の用途に、２次選別部２を成す選別機は穀類の異物除去の用途にそれぞれ適宜使用することができるものである。
【００１２】
以上のように構成された本発明の一実施の形態に係る穀類の異物除去装置において、１次選別部１の投入ホッパ６から供給された被選別穀類は、回転選別網体３の下部に供給され、回転螺旋体４により回転選別網体３の内面に沿って揚上されるが、その揚上過程で整粒および整粒以下の粒径の混入物ａがともに回転選別網体３から分離放出され、回転選別網体３内に残る異物ｂは回転螺旋体４により揚上され、整粒および整粒以下の粒径の混入物ａと残留異物ｂとは互いに異なる方向Ａ，Ｂに引き離し作用を受ける（図３参照）。そして、回転選別網体３内の残留物は異物として上部タンク７に一時貯留される。上部タンク７に貯留された異物は、その排出口８から適宜排除することができる。回転選別網体３内に残留する異物は、主に粘性の高い糞類や糠玉、穀類に絡まったり付着する動物の毛、羽または毛髪などであり、また、形状の大きいプラスチック片、木片、金属片など種々のものであるが、このような選別がしにくい異物であっても、回転選別網体３内では上記のように互いに異なる方向に引き離し作用を受けるので、確実かつ効果的に分離される。
【００１３】
１次選別部１で回転選別網体３から分離放出された整粒および整粒以下の粒径の混入物は、整粒送出口９から２次選別部２の供給ホッパ１２から揺動選別盤１０上に供給され、揺動選別盤１０上で揺動作用を受けるとともに、風選装置１１から送風される風により風選作用を受けて、さらに残留異物の除去が行われる。そして、除去された残留異物は異物排出口１４から排出される。２次選別部２で除去される異物は、比重の大きいガラス片や小石などである。
【００１４】
本発明の実施の形態に係る穀類の異物除去装置によれば、１次選別部１および２次選別部２により被選別穀類から異物を除去するが、１次選別部１では、回転選別網体３，１６から整粒および整粒の粒径より小さい混入物を分離放出し、回転選別網体３，１６内の残留物を異物として排除するので、回転選別網体３，１６から分離放出される整粒と、回転選別網体３内に残留する粘性の高い糞類や糠玉、穀類に絡まったり付着する動物の毛、羽または毛髪、また、形状の大きいプラスチック片、木片、金属片など種々のものが確実に分離される。このため、粘性の高い異物に他の異物が付着して異物の塊を生成するような現象をきたすことがないうえ、さらに２次選別部２により比重の大きいガラス片や小石などの残留異物が除去されるので、被選別穀類の混入異物が、完全かつ効率よく除去することができる。
【００１５】
【発明の効果】
本発明によれば、被選別穀類に混入している粘性の高い糞類や糠玉、穀類に絡まったり付着する動物の毛、羽または毛髪、また、形状の大きいプラスチック片、木片、金属片など種々のものを確実に分離選別して、従来除去ができなかった穀類の混入異物を効率よく除去することができる効果を奏する。
【図面の簡単な説明】
【図１】  本発明に係る穀類の異物除去装置の一実施の形態を示す全体斜視図である。
【図２】  本発明に係る穀類の異物除去装置の一実施の形態を示す一部破断側面図である。
【図３】  本発明に係る穀類の異物除去装置の一実施の形態を示す模式的断面図である。
【符号の説明】
１  １次選別部
２  ２次選別部
３  回転選別網体
４  回転螺旋体
５  ギヤモータ
６  投入ホッパ
７  上部タンク
８  排出口
９  整粒送出口
１０  揺動選別盤
１１  風選装置
１２  供給ホッパ
１３  整粒送出口
１４  異物排出口
１５  機枠台
１６  回転選別網筒
ａ  整粒および整粒以下の粒径の混入物
ｂ  残留異物
Ａ  整粒および整粒以下の粒径の混入物の移動方向
Ｂ  残留異物の移動方向
【図１】
0003738372.tif 000002
【図２】
0003738372.tif 000003
【図３】
0003738372.tif 000004